(57)【要約】【課題】抵抗膜式タッチパネルを用いる場合において、予期しない操作・誤操作等を防止して、２点同時押しキーを実現することができるタッチパネルシステムを提供すること。【解決手段】タッチ入力Ａが受け付けられる可視化された初期キー５１が所定位置に設けられた第１画面５を表示する。次いで、初期キー５１へのタッチ入力Ａが行われたときに、初期キー５１と同じ位置に、初期キー５１に換わって、タッチ入力Ａが受け付けられない第１ダミーキー６１が設けられるとともに、タッチ入力Ａが受け付けられない第２ダミーキー６２が設けられ、かつ２箇所同時押しが行われているときに、２箇所の中間位置が押されていると判断して、中間位置入力Ｂが受け付けられる透明キー６３が設けられた第２画面６を表示する。その後、透明キー６３への中間位置入力Ｂが所定時間継続して行われたときに、中間位置入力Ｂに割り振られた処理を実行する。【選択図】図２
2013142981.tif 000002
【特許請求の範囲】
【請求項１】
透明導電膜同士の接触によって作業者によるタッチ入力を検出する抵抗膜式タッチパネルと、該抵抗膜式タッチパネルからのタッチ入力を受信して、所定の出力信号を送信する制御装置とを備え、上記抵抗膜式タッチパネルが、タッチ入力が２箇所同時に行われているときには、該２箇所の中間位置が押されていると判断して、該中間位置からの中間位置入力を受け取るよう構成されたタッチパネルシステムにおいて、
上記制御装置の制御プログラムは、タッチ入力が受け付けられる可視化された初期キーが所定位置に設けられた第１画面を、上記抵抗膜式タッチパネルの画面に表示する第１表示手段と、
上記初期キーへのタッチ入力が行われたときに、該初期キーと同じ位置に、該初期キーに換わって、タッチ入力が受け付けられない可視化された第１ダミーキーが設けられるとともに、該第１ダミーキーから所定距離離れた位置に、タッチ入力が受け付けられない可視化された第２ダミーキーが設けられ、かつ上記第１ダミーキーと上記第２ダミーキーとの中間位置に、上記中間位置入力が受け付けられる可視化されていない透明キーが設けられた第２画面を、上記抵抗膜式タッチパネルの画面に表示する第２表示手段と、
上記透明キーへの中間位置入力が所定時間継続して行われたときに、該中間位置入力に割り振られた処理を実行する実行手段と、を備えていることを特徴とするタッチパネルシステム。
【請求項２】
請求項１に記載のタッチパネルシステムにおいて、上記第１表示手段は、上記第１画面において、上記第２画面における上記第２ダミーキーが設けられる位置と同じ位置に、上記タッチ入力が受け付けられない可視化された予備ダミーキーを設けるよう構成されていることを特徴とするタッチパネルシステム。
【請求項３】
請求項２に記載のタッチパネルシステムにおいて、上記第１画面における上記初期キーと、上記第２画面における上記第１ダミーキーとは、表示の色、形及び位置が同じであり、
上記第１画面における上記予備ダミーキーと、上記第２画面における上記第２ダミーキーとは、表示の色、形及び位置が同じであることを特徴とするタッチパネルシステム。
【請求項４】
透明導電膜同士の接触によって作業者によるタッチ入力を検出する抵抗膜式タッチパネルと、該抵抗膜式タッチパネルからのタッチ入力を受信して、所定の出力信号を送信する制御装置とを備え、上記抵抗膜式タッチパネルが、タッチ入力が２箇所同時に行われているときには、該２箇所の中間位置が押されていると判断して、該中間位置からの中間位置入力を受け取るよう構成されたタッチパネルシステムにおいて、
上記制御装置の制御プログラムは、タッチ入力が受け付けられる可視化された第１キーと、タッチ入力が受け付けられる可視化された第２キーとが所定位置に設けられた画面を、上記抵抗膜式タッチパネルの画面に表示する表示手段と、
上記第１キーへのタッチ入力が行われたときに、該第１キーをタッチ入力が受け付けられない状態に変化させるとともに、上記第２キーをタッチ入力が受け付けられない状態に変化させ、かつ上記第１キーと上記第２キーとの中間位置に、上記中間位置入力が受け付けられる可視化されていない透明キーを設ける可変手段と、
上記透明キーへの中間位置入力が所定時間継続して行われたときに、該中間位置入力に割り振られた処理を実行する実行手段と、を備えていることを特徴とするタッチパネルシステム。
【発明の詳細な説明】
【技術分野】
【０００１】
本発明は、抵抗膜式タッチパネルを用いて構成されたタッチパネルシステムに関する。
【背景技術】
【０００２】
工場における各種の機械設備等においては、機械設備等を動作させるための入力装置に、作業者によるタッチ入力を検出するタッチパネルが多用されている。また、人からの入力を要請する種々の装置等においても、同様にタッチパネルが用いられている。
そして、機械等を稼動させる際の重要な操作入力、あるいはデータの変更・消去等をする際の重要な操作入力は、誤った操作入力を受け付けないようにするため、２箇所以上の同時押しを要求することがある。
【０００３】
ところが、抵抗膜式のタッチパネルにおいては、２箇所以上のタッチ入力を同時に受け付けることができない。そこで、例えば、特許文献１の抵抗膜式タッチパネルの制御装置に開示されるように、抵抗膜の２箇所が押下されている場合、２箇所の押下位置の中心座標と、これらの押下位置の間隔とを特定し、制御部に送信することが行われている。
また、例えば、特許文献２の抵抗膜方式タッチパネルにおいては、２点同時に入力されたときには、その２点同時の間にも僅かに生じる時間差を利用して、入力位置を特定することが開示されている。
【先行技術文献】
【特許文献】
【０００４】
【特許文献１】特開２００９−１７６２１８号公報
【特許文献２】特開平８−５４９７６号公報
【発明の概要】
【発明が解決しようとする課題】
【０００５】
しかしながら、抵抗膜式タッチパネルにおいて、２箇所以上の同時押しを、予期しない操作・誤操作等を防止しながら実現するためには更なる工夫が必要とされる。例えば、特許文献１に開示された抵抗膜の２箇所が押下されている場合には、２箇所の押下位置の中心座標を検出する技術を利用することが考えられる。具体的には、タッチパネルの２箇所に表示されたキーを同時に押したときに、これらの中間位置が押されたとして、この中間位置に割り振られたダミーキーによる動作を実行することが考えられる。しかし、この場合には、作業者が、不意に中間位置のダミーキーを押してしまったときにも、動作が実行されてしまう。
【０００６】
本発明は、かかる背景に鑑みてなされたもので、抵抗膜式タッチパネルを用いる場合において、予期しない操作・誤操作等を防止して、２点同時押しキーを実現することができるタッチパネルシステムを提供しようとして得られたものである。
【課題を解決するための手段】
【０００７】
本発明の一態様は、透明導電膜同士の接触によって作業者によるタッチ入力を検出する抵抗膜式タッチパネルと、該抵抗膜式タッチパネルからのタッチ入力を受信して、所定の出力信号を送信する制御装置とを備え、上記抵抗膜式タッチパネルが、タッチ入力が２箇所同時に行われているときには、該２箇所の中間位置が押されていると判断して、該中間位置からの中間位置入力を受け取るよう構成されたタッチパネルシステムにおいて、
上記制御装置の制御プログラムは、タッチ入力が受け付けられる可視化された初期キーが所定位置に設けられた第１画面を、上記抵抗膜式タッチパネルの画面に表示する第１表示手段と、
上記初期キーへのタッチ入力が行われたときに、該初期キーと同じ位置に、該初期キーに換わって、タッチ入力が受け付けられない可視化された第１ダミーキーが設けられるとともに、該第１ダミーキーから所定距離離れた位置に、タッチ入力が受け付けられない可視化された第２ダミーキーが設けられ、かつ上記第１ダミーキーと上記第２ダミーキーとの中間位置に、上記中間位置入力が受け付けられる可視化されていない透明キーが設けられた第２画面を、上記抵抗膜式タッチパネルの画面に表示する第２表示手段と、
上記透明キーへの中間位置入力が所定時間継続して行われたときに、該中間位置入力に割り振られた処理を実行する実行手段と、を備えていることを特徴とするタッチパネルシステムにある（請求項１）。
【０００８】
本発明の他の態様は、透明導電膜同士の接触によって作業者によるタッチ入力を検出する抵抗膜式タッチパネルと、該抵抗膜式タッチパネルからのタッチ入力を受信して、所定の出力信号を送信する制御装置とを備え、上記抵抗膜式タッチパネルが、タッチ入力が２箇所同時に行われているときには、該２箇所の中間位置が押されていると判断して、該中間位置からの中間位置入力を受け取るよう構成されたタッチパネルシステムにおいて、
上記制御装置の制御プログラムは、タッチ入力が受け付けられる可視化された第１キーと、タッチ入力が受け付けられる可視化された第２キーとが所定位置に設けられた画面を、上記抵抗膜式タッチパネルの画面に表示する表示手段と、
上記第１キーへのタッチ入力が行われたときに、該第１キーをタッチ入力が受け付けられない状態に変化させるとともに、上記第２キーをタッチ入力が受け付けられない状態に変化させ、かつ上記第１キーと上記第２キーとの中間位置に、上記中間位置入力が受け付けられる可視化されていない透明キーを設ける可変手段と、
上記透明キーへの中間位置入力が所定時間継続して行われたときに、該中間位置入力に割り振られた処理を実行する実行手段と、を備えていることを特徴とするタッチパネルシステムにある（請求項４）。
【発明の効果】
【０００９】
上記タッチパネルシステムの一態様においては、タッチ入力が２箇所同時に行われているときには、この２箇所の中間位置が押されていると判断して、この中間位置からの中間位置入力を受け取るよう構成された抵抗膜式タッチパネルを用いて、誤操作等を防止した２点同時押しキーを実現している。
具体的には、制御装置の制御プログラムに、次の第１表示手段、第２表示手段及び実行手段を構築して、抵抗膜式タッチパネルに表示する画面を形成する。
第１表示手段は、抵抗膜式タッチパネルの画面に、タッチ入力が受け付けられる可視化された初期キーが所定位置に設けられた第１画面を表示する。そして、第１表示手段は、初期キーが押されて、タッチ入力が受け付けられるまで待機する。
【００１０】
第２表示手段は、初期キーが押され、タッチ入力が受け付けられたときには、第１ダミーキー、第２ダミーキー及び透明キーが設けられた第２画面を表示する。
第１ダミーキーは、初期キーと同じ位置に、初期キーに換わって、タッチ入力が受け付けられない可視化されたキーとして設けられる。第２ダミーキーは、第１ダミーキーから所定距離離れた位置に、タッチ入力が受け付けられない可視化されたキーとして設けられる。透明キーは、第１ダミーキーと第２ダミーキーとの中間位置に、中間位置入力が受け付けられる可視化されていないキーとして設けられる。
第２画面においては、タッチ入力が２箇所同時に行われているときに中間位置入力を受け取る性質を利用している。そして、作業者に対しては、あたかも第１ダミーキーと第２ダミーキーとが、２点同時押しのキーであるかのように表示することができる。
【００１１】
実行手段は、第１ダミーキーと第２ダミーキーとが所定時間継続して同時に押され続けることによって、透明キーへの中間位置入力が所定時間継続して行われたか否かを判断する。そして、中間位置入力が所定時間継続して行われたときには、この中間位置入力に割り振られた処理を実行する。
第１画面から第２画面に切り換えることによって、第２画面を表示する時間を短くし、透明キーへの中間位置入力を受け付ける時間を制限することができる。これにより、透明キーが不意に押されることによって、透明キーに割り振られた処理を実行してしまうことを防止することができる。また、透明キーが所定時間継続して行われたか否かを判断することによって、処理を実行しようとする作業者の意思を十分に確認することができる。
【００１２】
なお、上記所定時間が経過する前に、第１ダミーキーを押す状態と、第２ダミーキーを押す状態とのいずれかが解除されて、透明キーへの中間位置入力がなくなったときには、第１表示手段によって、抵抗膜式タッチパネルの画面に再び第１画面を表示する。
このように、上記タッチパネルシステムの一態様によれば、抵抗膜式タッチパネルを用いる場合において、予期しない操作・誤操作等を防止して、２点同時押しキーを実現することができる。
【００１３】
上記タッチパネルシステムの他の態様においては、画面を切り換える代わりに、キーの機能を変化させることによって、上記一態様の場合と同様の処理を実現している。
具体的には、制御装置の制御プログラムに、次の表示手段、可変手段及び実行手段を構築して、抵抗膜式タッチパネルに表示する画面を形成する。
表示手段は、抵抗膜式タッチパネルの画面に、タッチ入力が受け付けられる可視化された第１キーと、タッチ入力が受け付けられる可視化された第２キーとが所定位置に設けられた画面を表示する。
【００１４】
可変手段は、第１キーへのタッチ入力が行われたときに、第１キーをタッチ入力が受け付けられない状態に変化させるとともに、第２キーをタッチ入力が受け付けられない状態に変化させる。また、これと同時に、可変手段は、第１キーと第２キーとの中間位置に、中間位置入力が受け付けられる可視化されていない透明キーを設ける。
実行手段は、第１キーと第２キーとが所定時間継続して同時に押され続けることによって、透明キーへの中間位置入力が所定時間継続して行われたときに、中間位置入力に割り振られた処理を実行する。
こうして、上記タッチパネルシステムの他の態様によっても、上記一態様の場合と同様の作用効果を得ることができる。
【図面の簡単な説明】
【００１５】
【図１】実施例１にかかる、タッチパネルシステムの構成の概略を示す説明図。
【図２】実施例１にかかる、抵抗膜式タッチパネルに表示する第１画面を上段に示し、第１画面に換えて表示する第２画面を下段に示す説明図。
【図３】実施例１にかかる、抵抗膜式タッチパネルの構造を模式的に示す説明図。
【図４】実施例１にかかる、タッチパネルシステムの動作を示すフローチャート。
【図５】実施例２にかかる、抵抗膜式タッチパネルに表示する第１画面を上段に示し、第１画面に換えて表示する第２画面を下段に示す説明図。
【発明を実施するための形態】
【００１６】
上述したタッチパネルシステムにおける好ましい実施の形態につき説明する。
上記タッチパネルシステムにおいては、上記第１表示手段は、上記第１画面において、上記第２画面における上記第２ダミーキーが設けられる位置と同じ位置に、上記タッチ入力が受け付けられない可視化された予備ダミーキーを設けるよう構成されていてもよい（請求項２）。
この場合には、抵抗膜式タッチパネルに表示する画面が、実際には第１画面から第２画面に切り換わりながらも、見た目には画面表示がほとんど変わっていない印象を与えることができる。
【００１７】
また、上記第１画面における上記初期キーと、上記第２画面における上記第１ダミーキーとは、表示の色、形及び位置が同じであり、上記第１画面における上記予備ダミーキーと、上記第２画面における上記第２ダミーキーとは、表示の色、形及び位置が同じであってもよい（請求項３）。
この場合には、抵抗膜式タッチパネルに表示する画面が、実際には第１画面から第２画面に切り換わりながらも、見た目には画面表示が全く変わっていない印象を与えることができる。
【実施例】
【００１８】
以下に、上記タッチパネルシステムにかかる実施例につき、図面を参照して説明する。
（実施例１）
本例のタッチパネルシステム１は、図１に示すごとく、透明導電膜２２同士の接触によって作業者によるタッチ入力を検出する抵抗膜式タッチパネル２（図３参照）と、抵抗膜式タッチパネル２からのタッチ入力Ａを受信して、所定の出力信号Ｃを送信する制御装置３とを備えている。また、抵抗膜式タッチパネル２は、タッチ入力が２箇所同時に行われているときには、２箇所の中間位置が押されていると判断して、中間位置からの中間位置入力Ｂを受け取るよう構成されている。
【００１９】
図２に示すごとく、制御装置３の制御プログラム４は、次の第１表示手段４１、第２表示手段４２及び実行手段４３を有している。
第１表示手段４１は、タッチ入力Ａが受け付けられる可視化された初期キー５１が所定位置に設けられた第１画面５を、抵抗膜式タッチパネル２の画面に表示する。第２表示手段４２は、初期キー５１へのタッチ入力Ａが行われたときに、抵抗膜式タッチパネル２の画面に第２画面６を表示する。第２画面６においては、初期キー５１と同じ位置に、初期キー５１に換わって、タッチ入力Ａが受け付けられない可視化された第１ダミーキー６１が設けられるとともに、第１ダミーキー６１から所定距離離れた位置に、タッチ入力Ａが受け付けられない可視化された第２ダミーキー６２が設けられ、かつ第１ダミーキー６１と第２ダミーキー６２との中間位置に、中間位置入力Ｂが受け付けられる可視化されていない透明キー６３が設けられる。
【００２０】
ここで、各キー５１，６３について、「タッチ入力Ａが受け付けられる」との表現が意味するところは、画面上での表示の有無に拘りなく、各キー５１，６３が設定された位置の透明導電膜２２同士が接触して、制御装置３への入力処理が行われることを意味する。また、各ダミーキー５２，６１，６２について、「タッチ入力Ａが受け付けられない」との表現が意味するところは、画面に表示はされているが、制御装置３への入力処理が行われないことを意味する。
実行手段４３は、第１ダミーキー６１と第２ダミーキー６２とが所定時間継続して同時に押され続けることによって、透明キー６３への中間位置入力Ｂが所定時間継続して行われたときに、中間位置入力Ｂに割り振られた処理を実行する。
【００２１】
以下に、本例のタッチパネルシステム１につき、図１〜図４を参照して詳説する。
本例のタッチパネルシステム１においては、上記中間位置入力Ｂを受け取るよう構成された抵抗膜式タッチパネル２を用いて、予期しない操作（いたずら操作を含む。）・誤操作等を防止した２点同時押しキーを実現している。図１に示すごとく、タッチパネルシステム１は、工場に設置する各種機械７１の出力装置を動作させるために用いる。制御装置３は、各種機械７１の制御盤７２に構成され、抵抗膜式タッチパネル２は、制御盤７２に配線された操作盤７３に構成されている。
【００２２】
図３に示すごとく、抵抗膜式タッチパネル２は、フィルム、ガラス等から構成した基材２１に透明導電膜２２を設け、基材２１の透明導電膜２２を内側にして互いに対向させて形成されている。また、上下の透明導電膜２２の間には、絶縁体からなるドットスペーサー２３が設けられており、ドットスペーサー２３によって、タッチ入力Ａがない自然状態において、上下の透明導電膜２２の絶縁を確保している。そして、作業者の指による圧力を受けて、上下の透明導電膜２２同士が接触することによってタッチ入力Ａが行われる。同図においては、上下の透明導電膜２２が接触した状態が記載されている。
【００２３】
本例の制御装置３は、マイコンで構成される処理ユニットとすることができ、内部の制御プログラム４に従って各種の入出力処理を行う。制御装置３は、処理ユニット以外にも、ＰＣ（パーソナルコンピュータ）又はシーケンサーとすることもできる。制御装置３は、入力装置である抵抗膜式タッチパネル２からのタッチ入力Ａ又は中間位置入力Ｂを受信して、各種機械７１の出力装置へ所定の出力信号Ｃを送信するよう構成されている。
図２に示すごとく、本例の第１表示手段４１によって表示される第１画面５においては、第２画面６における第２ダミーキー６２が設けられる位置と同じ位置に、タッチ入力Ａが受け付けられない可視化された予備ダミーキー５２が設けられている。
【００２４】
本例の第１画面５及び第２画面６は、抵抗膜式タッチパネル２の画面に表示するために、ソフトウェア上の別々の画面として作成されている。第１画面５における初期キー５１と、第２画面６における第１ダミーキー６１とは、表示の色、形及び位置が同じである。また、第１画面５における予備ダミーキー５２と、第２画面６における第２ダミーキー６２とは、表示の色、形及び位置が同じである。
第１画面５と第２画面６とには、上述したキー５１，５２，６１，６２，６３以外にも、作業者からのタッチ入力Ａが受け付けられる種々のキーを設けておくことができる。
抵抗膜式タッチパネル２の画面に表示される各キー５１，６３は、ソフトウェアによって、タッチパネル２の表示画素中の所定位置にある透明導電膜２２に割り振られて形成される。抵抗膜式タッチパネル２における画面の各部の表示と、画面の各部の透明導電膜２２に割り当てられる処理とは、ソフトウェアによって形成される。
【００２５】
図２に示すごとく、本例の初期キー５１及び第１ダミーキー６１は、四角枠の中に「＋」の表示をして形成されており、本例の予備ダミーキー５２及び第２ダミーキー６２は、四角枠の中に「処理」の表示をして形成されている。作業者に操作を促す説明書きは、「＋」キーを先に押し、この「＋」キーを押したままの状態で「処理」キーを押し、この２つのキーを所定時間以上押し続けるといった説明書きとする。
【００２６】
次に、本例のタッチパネルシステム１の動作及び作用効果につき、図４のフローチャートを参照して説明する。
まず、制御装置３は、図２の上段に示すごとく、第１表示手段４１による動作として、抵抗膜式タッチパネル２の画面に第１画面５を表示する（図４のステップＳ１）。この第１画面５には、タッチ入力Ａが受け付けられる可視化された初期キー５１として、「＋」キーが表示され、タッチ入力Ａが受け付けられない可視化された予備ダミーキー５２として、「処理」キーが表示される。本例においては、左側の位置に「＋」キーが表示され、所定の間隔を空けた右側の位置に「処理」キーが表示される。そして、制御装置３は、作業者によって「＋」キーが押されて、タッチ入力Ａがあるまで待機する（Ｓ４）。
また、この待機の状態においては、制御装置３は、第１画面５において、「＋」キー及び「処理」キー以外の他のキーが設定されている場合には、この他のキーが押されているか否かを判別する（Ｓ２）。そして、他のキーが押された場合には、この他のキーによる処理を行う（Ｓ３）。
【００２７】
次いで、制御装置３は、作業者（本例では左手の指Ｌ）によって「＋」キーが押されたときには、タッチ入力Ａを受け付け、図２の下段に示すごとく、第２表示手段４２による動作として、抵抗膜式タッチパネル２の画面に第２画面６を表示する（Ｓ５）。この第２画面６には、初期キー５１としての「＋」キーと同じ位置に、初期キー５１に換わって、タッチ入力Ａが受け付けられない可視化された第１ダミーキー６１としての「＋」キーが表示される。
【００２８】
また、第２画面６には、予備ダミーキー５２としての「処理」キーと同じ位置に、予備ダミーキー５２に換わって、タッチ入力Ａが受け付けられない可視化された第２ダミーキー６２としての「処理」キーが表示される。さらに、第２画面６には、「＋」キーと「処理」キーとの中間位置に、制御装置３によって中間位置入力Ｂが受け付けられる可視化されていない透明キー６３が設けられる。透明キー６３は、可視化されていないため、作業者からは何もキーがないように見える。また、「＋」キーと「処理」キーとは、２点同時押しのキーであるかのように表示することができる。
【００２９】
次いで、制御装置３は、実行手段４３による動作として、所定時間Ｔ１の間、作業者によって「＋」キーと「処理」キーとの２点同時押しがなされるまで待機する（Ｓ６）。そして、この２点同時押しが行われたときには、抵抗膜式タッチパネル２から透明キー６３による中間位置入力Ｂを受け取る（Ｓ７）。なお、所定時間Ｔ１を待機して、中間位置入力Ｂがなかった場合には（Ｓ６）、ステップＳ１に戻り、再び第１画面５を表示する。なお、所定時間Ｔ１は、作業者が「＋」キーだけ押している状態から、「＋」キーと「処理」キーとの同時押しに切り換えるまでの待ち時間として設定している。
所定時間Ｔ１の間に中間位置入力Ｂがあった場合には、この中間位置入力Ｂが所定時間Ｔ２の間継続して行われているかを判別する（Ｓ８，Ｓ９）。この所定時間Ｔ２の間に、中間位置入力Ｂがなくなった場合には（Ｓ８）、ステップＳ１に戻り、再び第１画面５を表示する。
【００３０】
一方、透明キー６３による中間位置入力Ｂが所定時間Ｔ２の間継続して行われた場合には、制御装置３は、実行手段４３の動作として、中間位置入力Ｂに割り振られた処理を実行する（Ｓ１０）。
第１画面５から第２画面６に切り換えることによって、第２画面６を表示する時間を短くし、透明キー６３への中間位置入力Ｂを受け付ける時間を制限することができる。これにより、透明キー６３が不意に押されることによって、透明キー６３に割り振られた処理を実行してしまうことを防止することができる。また、中間位置入力Ｂが所定時間継続して行われたか否かを判断することによって、処理を実行しようとする作業者の意思を十分に確認することができる。
【００３１】
所定時間Ｔ２は、任意設定することができ、これを長くすることによって透明キー６３によって行う処理の安全性を高めることができる。
また、抵抗膜式タッチパネル２において、一般的な誤操作防止対策として採用される、キー（スイッチ）の２点同時押しを、ソフトウェア上だけで安価に実現することができる。
【００３２】
以上のように、上記タッチパネルシステム１によれば、抵抗膜式タッチパネル２を用いる場合において、予期しない操作・誤操作等を防止して、２点同時押しキーを実現することができる。
なお、第２画面６における透明キー６３への中間位置入力Ｂが所定時間継続されたときには、制御装置３は、第２画面６と同様に第１ダミーキー６１、第２ダミーキー６２及び透明キー６３が設けられた第３画面をさらに表示することもできる。この場合には、第３画面の透明キーへの中間位置入力Ｂが所定時間継続されたときに、この透明キーに割り振られた処理を実行することができる。
【００３３】
（実施例２）
本例は、上記実施例１に示した第１画面５と第２画面６の表示の切換を行わずに、キーに割り当てる機能を変化させることによって、上記実施例１の場合と同様の処理を実現している。
本例においては、図５に示すごとく、制御装置３の制御プログラム４に、次の表示手段４１Ｘ、可変手段４２Ｘ及び実行手段４３Ｘを構築して、抵抗膜式タッチパネル２に表示する画面を形成する。
制御装置３は、表示手段４１Ｘの動作として、抵抗膜式タッチパネル２の画面に、タッチ入力Ａが受け付けられる可視化された第１キー５１Ｘと、タッチ入力Ａが受け付けられる可視化された第２キー５２Ｘとが所定位置に設けられた表示画面５Ｘを表示する。
【００３４】
次いで、制御装置３は、可変手段４２Ｘの動作として、第１キー５１Ｘへのタッチ入力Ａが行われたときに、第１キー５１Ｘをタッチ入力Ａが受け付けられない状態に変化させるとともに、第２キー５２Ｘをタッチ入力Ａが受け付けられない状態に変化させる。また、これと同時に、制御装置３は、可変手段４２Ｘの動作として、第１キー５１Ｘと第２キー５２Ｘとの中間位置に、中間位置入力Ｂが受け付けられる可視化されていない透明キー５３Ｘを設ける。
【００３５】
なお、透明キー５３Ｘが設けられる前に、第１キー５１Ｘと第２キー５２Ｘとが同時に押された場合には、これらのキー５１Ｘ，５２Ｘの間に位置する中間位置入力Ｂが受け付けられることより、第１キー５１Ｘへのタッチ入力Ａは行われない。
次いで、制御装置３は、実行手段４３Ｘの動作として、第１キー５１Ｘと第２キー５２Ｘとが所定時間継続して同時に押され続けることによって、透明キー５３Ｘへの中間位置入力Ｂが所定時間継続して行われたときに、中間位置入力Ｂに割り振られた処理を実行する。
本例のタッチパネルシステム１によっても、その他の構成は上記実施例１と同様であり、上記実施例１と同様の作用効果を得ることができる。
【符号の説明】
【００３６】
１  タッチパネルシステム
２  抵抗膜式タッチパネル
３  制御装置
４  制御プログラム
５  第１画面
５１  初期キー
５２  予備ダミーキー
６  第２画面
６１  第１ダミーキー
６２  第２ダミーキー
６３  透明キー
Ａ  タッチ入力
Ｂ  中間位置入力
【図１】
2013142981.tif 000003
【図２】
2013142981.tif 000004
【図３】
2013142981.tif 000005
【図４】
2013142981.tif 000006
【図５】
2013142981.tif 000007